(57)【要約】【課題】カット部による指の怪我等の危険性を排除して安全性を高めつつ構造の簡素化を図り、良好な使用感や金型の簡素化によるコスト削減の実現が可能なテープカッターを提供する。【解決手段】巻テープを回転可能に支持する支持部２１及び引き出したテープ６１を切断するカット部２２を備えたホルダ２と、カット部２２を開放し得る開放位置Ｐとカット部２２を隠蔽し得る隠蔽位置Ｑとの間で移動可能にホルダ２に取り付けられるカバー５とを具備するテープカッター１において、ホルダ２を、巻テープ６の交換のために分解・組立可能な第１ホルダ要素３及び第２ホルダ要素４を備えるものとして、これら第１ホルダ要素３及び第２ホルダ要素４とカバー５との間に、第１ホルダ要素３と第２ホルダ要素４とのホルダ２としての組立形状を保持する保形部１１を形成した。【選択図】図９
2004345767.tif 000002
【特許請求の範囲】
【請求項１】
環状に巻回したテープを有する巻テープを回転可能に支持する支持部、及び前記巻テープから引き出したテープを切断するカット部を備えたホルダと、前記カット部を開放し得る開放位置とカット部を隠蔽し得る隠蔽位置との間で移動可能に前記ホルダに取り付けられるカバーとを具備し、前記ホルダが、分解状態で巻テープを交換可能且つ組立状態で巻テープを支持し得る構成の相互に着脱可能な第１ホルダ要素及び第２ホルダ要素を備え、これら第１ホルダ要素及び第２ホルダ要素と前記カバーとの間に、第１ホルダ要素と第２ホルダ要素との所定の組立形状を保持する保形部を形成していることを特徴とするテープカッター。
【請求項２】
前記カバーを、第１ホルダ要素の外側面とそれとは反対側を向く第２ホルダ要素の外側面とを両外側方から挟み込む姿勢でホルダに取り付けるように構成している請求項１記載のテープカッター。
【請求項３】
前記カバーが、カット部を被覆するカバー本体と、該カバー本体の両側端部から延びる一対の側板とを具備し、これら一対の側板の間に前記第１ホルダ要素及び第２ホルダ要素を挟み込むように構成している請求項２記載のテープカッター。
【請求項４】
前記保形部を、前記第１ホルダ要素及び第２ホルダ要素に形成した凹部又は突部と、この凹部又は突部のいずれかと係り合うように前記一対の側板に形成した突部又は凹部とから構成している請求項３記載のテープカッター。
【請求項５】
前記カバーを、ホルダに対して相対的に回動可能に取り付けている請求項１、２、３又は４記載のテープカッター。
【請求項６】
前記保形部が、カバーのホルダに対する回動動作の中心となる回動軸及び軸受を兼ねている請求項５記載のテープカッター。
【請求項７】
前記ホルダとカバーとの間に、カバーの可動範囲を開放位置と隠蔽位置との間に規制する移動規制部を形成している請求項１、２、３、４、５又は６記載のテープカッター。
【請求項８】
前記ホルダが、前記カバーの開放位置及び隠蔽位置の何れにおいても巻テープの周囲ほぼ全域を包囲する保護壁を具備している請求項１、２、３、４、５、６又は７記載のテープカッター。
【請求項９】
前記ホルダにおける支持部とカット部との間に、巻テープから引き出したテープを位置付けるとともに該テープに使用者が指を掛け得るようにその指を挿入し得る案内路を形成し、前記カバーを隠蔽位置において、カット部と共に該案内路内のテープをも隠蔽するように構成している請求項１、２、３、４、５、６、７又は８記載のテープカッター。
【請求項１０】
前記カバーに、その開放位置と隠蔽位置との間の移動操作時に使用者が指を掛け得る指掛け部を形成している請求項１、２、３、４、５、６、７、８又は９記載のテープカッター。
【請求項１１】
前記指掛け部に、滑り止め用突起又は滑り止め用凹部を形成している請求項１０記載のテープカッター。
【請求項１２】
前記ホルダに、自立性を付与し得る脚部を形成している請求項１、２、３、４、５、６、７、８、９、１０又は１１記載のテープカッター。
【発明の詳細な説明】
【０００１】
【発明の属する技術分野】
本発明は、巻テープを使用するために用いられるテープカッターに関するものである。
【０００２】
【従来の技術】
片面又は両面に粘着面を有し或いは非粘着性の樹脂テープ、紙テープ、布テープ等のテープを巻き付けた巻テープを使用するために用いられるテープカッターは、この巻テープをテープの引き出し操作に応じて回転可能に支持する支持部と、当該引き出したテープを適宜の使用長に切断するためのカット部とを備えたホルダを具備しているのが通例である。ここでカット部は、ホルダと別体のものであるかホルダに一体に形成したものであるかを問わず、鋸歯状のいわゆる「ギザ刃」又は鋭利な刃物であるのが一般的であるが、テープカッターの不使用時にこのカット部が外部に露出した状態にあると、カット部が使用者の指に接触するとその指を切ってしまう恐れがあり、特に子供や高齢者にはその危険性が高いといえる。このような危険性を防止するためのテープカッターとして、ホルダに、カット部を露出させないように隠蔽しておくようにしたカバーを備えたもの（例えば、特許文献１参照）や、ホルダを所定のケース内に出し入れ可能に収容する構成として、不使用時にはカット部と共にホルダをケース内に収容し、使用時にのみホルダをケースから引き出すようにしたもの（例えば、特許文献２参照）などが考えられている。
【０００３】
【特許文献１】
実公平７−１８５４９号公報（図３等）
【特許文献２】
特開平１０−２０３７１２号公報（図１等）
【０００４】
【発明が解決しようとする課題】
ところが、このような従来品のうち前者のテープカッターであると、カット部が外部から隠された構成ではあるが、使用時には少なくともテープの切断操作時にのみ引き出したテープの押下力によってカット部の先端を表出させるような機構を設けることが必須となり、そのために構造の複雑化が生じる。他方、後者のテープカッターであると、ホルダをそれとは別体のケースに内蔵するための構成が必要となるため、テープカッター全体の構造の複雑化及び大型化を招来する。さらにこのような理由から、従来の安全性を高めたテープカッターの製造コスト及び価格が高くなりがちである。
【０００５】
また、この種のテープカッターは、上述のように安全性に配慮してあるか否かを問わず、消耗品である巻テープが使用済となった後に新たな巻テープと交換して使用することを前提とされているため、ホルダの支持部に巻テープを着脱可能に支持させるための構成として、ホルダをその支持部を分解時に開放することができるようにした少なくとも二部品からなる構造としているのが通例である。そして通常は、一旦分解された前記二部品を、それらの間に巻テープを支持させてホルダとして機能する正しい姿勢を保って組み立てられるようにするための構成として、これら二部品にフック爪や突部や凹部等からなる係合部を形成しておき、組立時にこの係合部を通じて係り合わせるようにされている。しかしながら、このようにホルダの構成部品に係合部を形成しようとすると、その部品を製造するための金型に係合部用の形状を形成しなければならず、必然的に金型の構造が複雑となって高コスト化し製造作業工程も増大することになっている。特にこれらホルダの構成部品同士をしっかりと係り合わせるためには、係合部における係合深さを十分に確保する必要があるため、金型にもそれに十分な程度の係合部用の形状を形成しておかなければならないことになる。そのうえ更に上述のように安全性を高める構造を採用すると、テープカッターの安価での提供や構造の簡易化を図るのは非常に困難であるといえる。
【０００６】
そこで本発明は、以上のような問題を一挙に解消し、カット部による指の怪我等の危険性を排除して安全性を高めつつ構造の簡素化を図り、低価格化や良好な使用感の実現が可能なテープカッターの提供を主たる目的としている。
【０００７】
【課題を解決するための手段】
すなわち、本発明のテープカッターは、環状に巻回したテープを有する巻テープを回転可能に支持する支持部、及び巻テープから引き出したテープを切断するカット部を備えたホルダと、カット部を開放し得る開放位置とカット部を隠蔽し得る隠蔽位置との間で移動可能に前記ホルダに取り付けられるカバーとを具備するものであり、ホルダを、分解状態で巻テープを交換可能且つ組立状態で巻テープを支持し得る構成の相互に着脱可能な第１ホルダ要素及び第２ホルダ要素を備えるものとして、これら第１ホルダ要素及び第２ホルダ要素とカバーとの間に、第１ホルダ要素と第２ホルダ要素との所定の組立形状を保持する保形部を形成していることを特徴とするものである。
【０００８】
なお、本発明でいうところの「テープ」には、樹脂テープ、紙テープ、布テープ等の材質を問わず、且つ粘着面を有しているか否かをも問わず、リボン状のものも含みおおよそテープとして把握されるもの全てが含まれる。さらに、このテープは環状に巻回されて巻テープとして用いられるものであるが、「環状」とは必ずしも円環状のものであるとは限らず、楕円形、多角形等の形状を問わずに「環」をなしていればよい。また、カット部には、ホルダに直接形成したものや別体の刃物を取り付けたものが含まれる。
【０００９】
このような構成のテープカッターであれば、まず、ホルダに取り付けたカバーを動作させて、テープの不使用時にはカバーを隠蔽位置に位置付けることによりカット部を隠しておき、テープの使用時にのみカバーを開放位置に位置付けてカット部を露出させるというように、使用時と不使用時とでカット部の露出又は隠蔽を使用者自身の操作で選択することができるため、不使用時に不意な操作で使用者がカット部で指を切るというような危険性を防止することができる。また、ホルダを構成する第１ホルダ要素と第２ホルダ要素との間には、それらを相互に係り合わせるための従来品のような係合部を形成しておかなくても、ホルダに装着されるカバーによってホルダ本来の機能を発揮することができる組立姿勢に第１ホルダ要素と第２ホルダ要素とを組み立てることができるため、第１ホルダ要素及び第２ホルダ要素自体の構造の簡易化や、それらを製造するための金型の構造の簡易化を図ることができ、テープカッター全体のコストダウンにつなげることが可能となる。なお、本発明は、第１ホルダ要素と第２ホルダ要素とを相互に係り合わせるための係合部を形成することを妨げるものではなく、ホルダ自体又は金型の大幅な構造の複雑化や高コスト化を招かないものであれば斯かる係合部を形成してもよい。
【００１０】
具体的に、カバーによって第１ホルダ要素と第２ホルダ要素とを所定の組立姿勢に維持するための簡易な構成としては、カバーを、第１ホルダ要素の外側面とそれとは反対側を向く第２ホルダ要素の外側面とを両外側方から挟み込む姿勢でホルダに取り付けるように構成することが望ましい。より具体的且つ容易に、カバーによるカット部に対する隠蔽機能と第１ホルダ要素及び第２ホルダ要素の組立姿勢維持機能とを両立させるためには、カバーに、カット部を被覆するカバー本体と、このカバー本体の両側端部から延びる一対の側板とを設け、これら一対の側板の間に前記第１ホルダ要素及び第２ホルダ要素を挟み込むように構成することが有効である。
【００１１】
また、保形部自体の構成の簡易化を図るには、第１ホルダ要素及び第２ホルダ要素に形成した凹部又は突部と、この凹部又は突部のいずれかと係り合うようにカバーの一対の側板に形成した突部又は凹部とから保形部を構成するとよい。
【００１２】
さらに、カバーの開放位置と隠蔽位置との間での動作の簡易化を図り、カバーの操作性を良好なものとするためには、カバーを、ホルダに対して相対的に回動可能に取り付けることが好ましい。この場合、カバーの動作及び操作の簡易化と、カバーによる第１ホルダ要素と第２ホルダ要素の組立姿勢維持のための簡易な構成とを、共通の構成により容易に実現できるようにするためには、保形部に、カバーのホルダに対する回動動作の中心となる回動軸及び軸受としての機能を兼ねさせることが有効である。
【００１３】
カバーを所要範囲でのみ動作可能なものとして、不要な動きを排除してコンパクト化を図るためには、ホルダとカバーとの間に、カバーの可動範囲を開放位置と隠蔽位置との間に規制する移動規制部を形成するとよい。
【００１４】
また、テープの使用時又は不使用時を問わず、巻テープの汚損や破損を有効に防止するためには、ホルダに、カバーの開放位置及び隠蔽位置の何れにおいても巻テープの周囲ほぼ全域を包囲する保護壁を設けることが望ましい。
【００１５】
さらにまた、特に不使用時には巻テープからカット部まで引き出したテープに埃が付着することがあり、テープの汚損や破損のみならず特に粘着テープの場合はその粘着性の低下の原因ともなる。このような問題を解消しつつ、無駄になるテープをなくし、さらに使用時におけるテープの引き出しやすさをも実現するためには、ホルダにおける支持部とカット部との間に、巻テープから引き出したテープを位置付けるとともにテープに使用者が指を掛け得るようにその指を挿入し得る案内路を形成し、カバーをその隠蔽位置において、カット部と共に該案内路内のテープをも隠蔽するように構成することが好ましい。特にこのような構成と、上述したホルダの保護壁とを併せ持った場合には、引き出したテープのみならず巻き付けられた状態の未使用のテープの汚損や粘着性能の低下を防止することができる。
【００１６】
特にカバーの操作性を向上してテープカッターの使用感を良好なものとするには、カバーに、その開放位置と隠蔽位置との間の移動操作時に使用者が指を掛け得る指掛け部を形成するとよい。そして、この指掛け部に、滑り止め用突起又は滑り止め用凹部を形成すれば、さらにカバーの操作性を良好なものとすることができる。
【００１７】
また、不使用時にはホルダを立てた状態で置いておき収納性を高めつつ、必要時に使用者が手で持ってすぐに使えるようにするためには、ホルダに、自立性を付与し得る脚部を形成しておくとよい。
【００１８】
【発明の実施の形態】
以下、本発明の一実施形態を、図面を参照して説明する。
【００１９】
本実施形態のテープカッター１は、図１｛（ａ）は斜視図、（ｂ）は側面図｝及び図３（ａ）に使用時の状態を、図２｛（ａ）は斜視図、（ｂ）は側面図｝及び図３（ｂ）に不使用時の状態を示すように、巻テープ６を回転可能に支持するホルダ２と、このホルダ２に取り付けられるカバー５とを具備するものである。そして、カバー５をホルダ２に対して、巻テープ６から引き出したテープ６１を適宜長さに切断するためにホルダ２が有するカット部２２を図１及び図３（ａ）に示す使用時には開放し（以下、この状態をカバー５の開放位置Ｐと称する）、図２及び図３（ｂ）に示す不使用時には隠蔽する（以下、この状態をカバー５の隠蔽位置Ｑと称する）ように取り付けている。ここで、このテープカッター１には、巻テープ６の一例として図４に示すように、紙製等の円環状をなす芯部６２に適宜長さの樹脂製の片面粘着のテープ６１を巻き付けたものを適用するものとしているが、両面粘着テープや非粘着性テープ、紙テープや布テープ等の適宜のものを適用することができる。以下、このテープカッター１の各部について具体的に説明する。なお、以下では、テープカッター１を机上等に載置した状態の姿勢でテープ６１の引き出し方向を前側として前後左右上下を決めているものとする。
【００２０】
まず、ホルダ２は、図１〜４及び図８（図８（ａ）は図２（ｂ）におけるＡ−Ａ線断面図、同（ｂ）は図３（ａ）におけるＢ−Ｂ線断面図）に示すように、巻テープ６を回転可能に支持するための支持部２１と、上述の通り巻テープ６から引き出したテープ６１を切断するためのカット部２２とを具備するものである。具体的にこのホルダ２は、凡そ半割構造をなす第１ホルダ要素３（図示例では左側）と第２ホルダ要素４（図示例では右側）の二部材を主体とするものである。またカット部２２は、第１ホルダ要素３及び第２ホルダ要素４とは別体をなし鋸歯状のいわゆる「ギザ刃」と呼ばれる刃先を有する金属板製のカッター２２ａから構成したものであって、特に本実施形態では第２ホルダ要素４に埋め込まれた状態で取り付けられており、第１ホルダ要素３及び第２ホルダ要素４と共にホルダ２を構成している。
【００２１】
第１ホルダ要素３は、図５及び図８（ａ）にも示すように、概略円盤状をなしその前上端部分を直線的且つ部分的に切除した形状の側壁３１と、この側壁３１の弧状をなす外縁に沿って内側に向けて突出させた周壁３２と、ホルダ２に保持された巻テープ６からのテープ６１の引き出しをガイドするテープ導出部３３とを一体に具備するものであり、これら各部を例えば合成樹脂の一体成形によって形成している。側壁３１の内側面には、内向きに突出させた第１主嵌合突部３１１を形成している。この第１主嵌合突部３１１は、側壁３１の概略外縁形状である円形の中心と同心の円筒状をなすものであり、側壁３１と一体に形成してある。また、この側壁３１の中心に中心を一致させて、側壁３１の外側面側を窪ませた側面視円形状をなす凹部３１２を形成している。この凹部３１２は、カバー５を回動動作させるための軸受として機能するものである。また、凹部３１２の内周に沿った下端部及び斜め後端部には、側壁３１の肉厚を貫通する２つの受孔３１３、３１４を形成している。これら受孔３１３、３１４の形状は、本実施形態では矩形としているが、丸形や多角形とすることもできる。さらにまた、凹部３１２の前上端部には、当該凹部３１２の周上に沿って外側に当該凹部３１２と同程度に側壁３１の外側面を窪ませたガイド溝３１５を形成している。このガイド溝３１５は、カバー５の可動範囲を規制する移動規制部１２の構成要素である（図８及び図９参照）。また周壁３２は、側壁３１の外縁のうち弧状をなす部位に沿ってホルダ２の約半分の幅寸法で内側方へ突出させて形成したものである。そして、この周壁３２及び側壁３１の下端部において前後に離間する二箇所に、周壁３２の幅方向に延びて突条をなす前後一対の脚部３４、３５を形成している。なお、前側の脚部３４は後側の脚部３５よりも大きくしてある。テープ導出部３３は、側壁３１と周壁３２の前端部において高さ方向中央部から前上方へ連続するように突出させて一体に形成したものである。具体的にテープ導出部３３は、前記側壁３１において円盤形状から切除された形状の部分に該当する前上端部分の下端部に連続する側面視Ｌ字形状の導出側壁３３１と、この導出側壁３３１の下縁及び前記周壁３２の前端部に連続して内側方へ突出させた底壁３３２とからなる。導出側壁３３１の屈曲する前下端部には、円筒状をなして内側方へ突出する第１副嵌合突部３３１ａを形成している。本実施形態においてこの第１副嵌合突部３３１ａは、円柱形状をなしている。また、導出側壁３３１の上端部における前面側には、後述するカバー５の先端部を受け入れるようにした段部３３１ｂを形成している。さらに導出側壁３３１の後向面側は、側壁３１の前上端部分の前向面と半円形状をなして滑らかに連続させている。
【００２２】
第２ホルダ要素４は、図６及び図８（ａ）（ｂ）にも示すように、第１ホルダ要素３の側壁３１と略同形状の側壁４１及び周壁４２と、巻テープ６からのテープ６１の引き出しをガイドするとともにカッター２２ａの保持機能を備えたテープ導出部４３とを一体に具備するものであり、これら各部を例えば合成樹脂の一体成形によって形成している。側壁４１の内側面には、内向きに突出させた第２主嵌合突部４１１を形成している。この第２主嵌合突部４１１は、側壁４１の概略外縁形状である円形の中心と同心の円筒状をなし、且つ第１ホルダ要素３に形成した第１主嵌合突部３１１を内側に緩く嵌め合わし得るように側壁４１と一体に形成したものであり、その外周を、巻テープ６を嵌めて回転可能に支持する支持部２１として機能させている。また、この側壁４１の中心に中心を一致させて、側壁４１の外側面側を窪ませた側面視円形状をなす凹部４１２を形成している。この凹部４１２にも、第１ホルダ要素３の凹部３１２と同様に、２つの受孔４１３、４１４と、移動規制部１２の構成要素となるガイド溝４１５とを形成している。また周壁４２は、第１ホルダ要素３と組み立てた際に第１ホルダ要素３の周壁３１と当接し合うものであり、周壁３１と同様に、側壁４１の外縁のうち弧状をなす部位に沿ってホルダ２の約半分の幅寸法で内側方へ突出させて形成したものである。さらに、この周壁４２及び側壁４１の下端部において前後に離間する二箇所に、第１ホルダ要素３の脚部３４、３５と当接し合う前後一対の脚部４４、４５を形成している。特に前側の脚部４４には、紐等（図示省略）を通してこのテープカッター１を携帯したり吊り下げたりすることができるようにするための貫通孔４４ａを形成している。なお、第１ホルダ要素３において前側の脚部３４には、第２ホルダ要素４の脚部４４のような貫通孔４４ａを設けていないが、第１ホルダ要素３と第２ホルダ要素４の何れか一方、又は両方に斯かる貫通孔を設けることは可能であるし、いずれにも設けないこととすることもできる。テープ導出部４３は、第１ホルダ要素３のテープ導出部３３と同様の側面視Ｌ字形状をなす導出側壁４３１及び底壁４３２に加えて、カッター２２ａを保持するための前壁４３３を有している。この前壁４３３の下端部には、第１副嵌合突部３３１ａを内部に収容し得る第２副嵌合凹部４３３ａとして、円筒状の孔を内側面側に開口させて形成している。また、前壁４３３は上端部側において前後に対面し合う前要素４３３ｂ及び後要素４３３ｃの二つの部位に分割されており、これら前要素４３３ｂと後要素４３３ｃとの間に、薄肉な刃物であるカッター２２ａをその刃先が上を向くように挟み込んで保持している。このときカッター２２ａは、前要素４３３ｂ及び後要素４３３ｃの弾性変形により前後に挟み付けられているが、テープカッター１の分別廃棄時には、前要素４３３ｂと後要素４３３ｃとの間を広げてカッター２２ａを取り出せるようにしている。また、導出側壁４３１及び前壁４３３の上端部における前面側には、第１ホルダ要素３の導出側壁３３１の段部３３１ｂと同様の段部４３１ｂを形成している。さらに導出側壁４３１の後向面側は、側壁４１の前上端部分の前向面と半円形状をなして滑らかに連続させている。
【００２３】
このような第１ホルダ要素３と第２ホルダ要素４とは、支持部２１たる第２主嵌合突部４１１の外周に巻テープ６の芯部６２を嵌め合わせた状態で、第１主嵌合突部３１１と第２主嵌合突部４１１との緩い嵌め合い関係、及び第１副嵌合突部３３１ａと第２副嵌合凹部４３３ａとの緩い嵌め合い関係によって、巻テープ６を回転可能に支持した一体のホルダ２として組み立てられる。この状態で、巻テープ６からテープ６１の先端部を巻テープ６の回転動作を伴い引き出してカット部２２たるカッター２２ａで切断することによって、テープカッター１としての基本的な機能を発揮できるようになる。なお、引き出したテープ６１の先端部の粘着面は、第２ホルダ要素４のテープ導出部４３における前壁４３３の後要素４３３ｃの上面に剥離可能に接着する。また、テープ導出部３３、４３と側壁３１、４１との間の空間は、使用者がテープ６１の引き出し時に指を差し入れることができる左右両側方に開放された案内路２３として機能する。また、側壁３１、４１及び周壁３２、４２によって巻テープ６の略全体が覆われることになるので、これら側壁３１、４１及び周壁３２、４２は保護壁２４として機能する。しかしながらこのままの状態では、カッター２２ａが常に露出された状態にあって危険性を有しており、また上述のように第１ホルダ要素３と第２ホルダ要素４とは緩く嵌め合わされただけの状態であって簡単に左右に分解するので、これらを一挙に防止する目的で、ホルダ２にカバー５を装着することとしている。
【００２４】
すなわちカバー５は、図７及び図８にも示すように、同一構成を有する左右一対の側板５１、５１と、これら側板５１、５１の前端部間を繋ぎカッター２２ａを隠蔽し得るカバー本体５２とを例えば合成樹脂の一体成形により形成したものである。両側板５１はいずれもホルダ２の側壁３１、４１よりも小振りな概略円盤状をなす円盤部５１１と、この円盤部５１１とカバー本体５２とを繋ぐ連結板部５１２とからなる。円盤部５１１は、ホルダ２の側壁３１、４１の外側方に位置付けられるものであり、それらの内側面には、凹部３１２、４１２に外側方から嵌り込むリング状の突部５１３をそれぞれ形成している。この突部５１３は、カバー５の回動軸として機能するものである。さらに突部５１３の外周上には、突部５１３を凹部３１２、４１２に嵌めた際にガイド溝３１５、４１５内に収容されるように外方へ突出させた突起部５１４を形成している。この突起部５１４は、ガイド溝３１５、４１５と共にカバー５の可動範囲を決める移動規制部１２として機能する。また、突部５１３上には、受孔３１３、４１３又は受孔３１４、４１４に選択的に嵌り合う小突起５１５を形成している。なお、両円盤部５１１の外側面は、使用者の持ちやすさ及びデザイン上の観点から、部分球面状に窪ませてある。また、両連結板部５１２は、いずれも概略矩形板状をなして円盤部５１１から一方向に突出させて形成したものである。カバー本体５２は、カバー５の隠蔽位置Ｑにおける連結板部５１２の前端側上半部に連続する前板５２１と、連結板部５１２の上端側前半部に連続する上板５２２と、この上板５２２の後端から上斜め後方に向けて側面視部分円弧状をなして傾斜する傾斜板５２３とからなる。そして、前板５３１と前記連結板部５１２には、カバー５を使用者が操作するための指掛け部５３を形成している。具体的に指掛け部５３は、前板５２１において幅方向に延び上下に並べて形成した複数本（本実施形態では３本）の滑り止め用突起５２１ａと、連結板部５１２の前端部において側方に形成した小さな部分球面状の複数（本実施形態では縦３個Ｘ横３個の合計９個）の滑り止め用突起５１２ａとから構成される。
【００２５】
そして、このようなカバー５をホルダ２に取り付ける際には、側板５１、５１を弾性変形により若干外方へ拡げた状態として、突部５１３、５１３を対応する側壁３１、４１の凹部３１２、４１２に挿入する。このようにすることで、弾性復帰力により側板５１、５１の間にホルダ２が挟み込まれるので、第１ホルダ要素３と第２ホルダ要素４とが分解することなくホルダ２としての形状を保つことになる。すなわち、突部５１３、５１３と凹部３１２、４１２とが、凹凸係合することによってホルダ２の形状を保持する保形部１１として機能することになる。すなわち、第１ホルダ要素３と第２ホルダ要素４とを特に直接係合させなくても、カバー５と第１ホルダ要素３及び第２ホルダ要素４との間の保形部１１によってホルダ２としての形状が維持されるため、従来品のように第１ホルダ要素３と第２ホルダ要素４とを係合させるための格別な係合部が不要となり、さらにその結果、斯かる係合部を形成するための複雑な形状で高価な金型も不要とすることができる。
【００２６】
またこのとき、突部５１３、５１３はカバー５の回動軸として、凹部３１２、４１２はその軸受としての機能をも兼ね備えていることになる。さらにこの状態で突起部５１４、５１４は、それぞれガイド溝３１５、４１５内を回動動作することになるが、突起部５１４、５１４の可動範囲すなわちカバー５の可動範囲は、突起部５１４、５１４がガイド溝３１５、４１５の両端部に当接する範囲内に規制される。そして、突起部５１４、５１４がその可動範囲の両終端に位置付けられた際に、小突起５１５、５１５が、受孔３１３、４１３又は受孔３１４、４１４の何れかに嵌り込むことになる。すなわち、両突起部５１４は、ガイド溝３１５、４１５と共に移動規制部１２を構成している。一方、小突起５１５、５１５は、受孔３１３、４１３又は受孔３１４、４１４と共に、カバー５を所定位置で停止させるストッパとして機能する。詳述すると、図９に動作説明図を示すように、カバー５をカバー本体５２が上方を向く開放位置Ｐに位置付けてカッター２２ａを露出させた場合（図９（ａ））には、突起部５１４、５１４がガイド溝３１５、４１５の上端部に位置付けられるとともに、小突起５１５、５１５が下側の受孔３１３、４１３に嵌り込み、この開放位置Ｐにカバー５が軽く固定される。その状態からカバー５を前方へ回動させると、突起部５１４、５１４がガイド溝３１５、４１５を移動するとともに、小突起５１５、５１５が下側の受孔３１３、４１３から出ることになり、カバー本体５２が斜め上前方を向く隠蔽位置Ｑに位置付けてカッター２２ａを隠蔽した状態（図９（ｂ））とすると、突起部５１４、５１４がガイド溝３１５、４１５の下端部に位置付けられるとともに、小突起５１５、５１５が後側の受孔３１４、４１４に嵌り込み、この隠蔽位置Ｑにカバー５が軽く固定される。なお、カバー５が開放位置Ｐ又は隠蔽位置Ｑに到達する際には、小突起５１５、５１５が受孔３１３、４１３又は受孔３１４、４１４に嵌り込むことによる小さな音やクリック感が得られるので、カバー５がその位置に到達したことを使用者が容易に認識することができる。
【００２７】
特に隠蔽位置Ｑにおいては、カバー本体５２の前板５２１の下端部がホルダ２の段部３３１ｂ、４３１ｂに前上方から引っ掛かり、その状態でカバー本体５２がホルダ２のカッター２２ａを含む前方及び上方を隠蔽し、さらに連結板部５１２、５１２がホルダ２の案内路２３を左右両側方から隠蔽することとなるので、ホルダ２の保護壁２４と共に巻テープ６及びそれから引き出したテープ６１の略全体を包囲することとなる。したがって、不使用時におけるカッター２２ａの露出を防いで安全性を高めるとともに、テープ６１の粘着面への埃の付着による汚れや粘着性能の低下を図り得ることにもなる。
【００２８】
さらに、開放位置Ｐと隠蔽位置Ｑとの間におけるカバー５の移動操作は、使用者はカバー５に形成した指掛け部５３のうち何れかの滑り止め用突起５１２ａ、５２１ａに軽く指を掛けて力を加えればよいので、操作性も極めて良好である。さらにホルダ２に設けた脚部３４、３５、４４、４５によってテープカッター１に自立性が与えられているため保管性にも優れている。
【００２９】
また、ホルダ２とカバー５とを別パーツとしており、さらにホルダ２を第１ホルダ要素３及び第２ホルダ要素４の二つの主要パーツから構成しているので、これらの素材や色を適宜変更することで、テープカッター１の商品としてのバリエーションを増やし、商品訴求力を高めることもできる。
【００３０】
なお、本発明は上述した実施形態に限られるものではない。例えばカバーは、ホルダに取り付けた状態で開放位置と隠蔽位置との間で移動可能なものであれば、回動動作に限らずスライド動作等の他の動作を行うようにすることもできる。また、カバーを回動動作させる場合であっても、第１ホルダ要素と第２ホルダ要素との保形機能を奏する部位と、回動軸及び軸受として機能する部位とを分けて個別に形成することもできる。さらに、本質的にカバーによって第１ホルダ要素と第２ホルダ要素との保形を確保していれば、第１ホルダ要素と第２ホルダ要素とを緩い凹凸係合やテーパ係合などによって直接的に係合させることを妨げるものではない。また、上記実施形態における態様とは逆に、ホルダ側に突部を形成しカバー側に凹部を形成して、それらによって保形部を構成することもできる。また、カバーの操作性を向上するためには、指掛け部として形成される滑り止め用突部の代わりに、滑り止め用凹部を形成したり、その他適宜の滑り止め加工を施すことも有効である。さらに、カッターの保持構造などの、その他の各部の具体的構成についても上記実施形態に限られるものではなく、本発明の趣旨を逸脱しない範囲で種々変形が可能である。
【００３１】
【発明の効果】
以上に詳述したように、本発明のテープカッターによれば、ホルダに取り付けたカバーによって、テープを切断するためにホルダに設けられるカット部を使用時にのみ露出させ、不使用時には隠しておくことができるので、極めて高い安全性が得られる。そのうえ、巻テープの交換のためにホルダが第１ホルダ要素と第２ホルダ要素とに分解可能な構造を有しているが、カバーと第１ホルダ要素及び第２ホルダ要素との間に形成される保形部によってホルダとして機能するために必要な形状が維持されるため、これら第１ホルダ要素と第２ホルダ要素とを直接的に係合させるための構成やそのために施される金型の加工が不要となり、好適にコストダウンを図ることが可能である。
【図面の簡単な説明】
【図１】本発明の一実施形態における使用時の状態を示す図。
【図２】同実施形態の不使用時の状態を示す図。
【図３】同実施形態の正面図。
【図４】同実施形態の分解斜視図。
【図５】同実施形態における第１ホルダ要素を示す図。
【図６】同実施形態における第１ホルダ要素を示す図。
【図７】同実施形態におけるカバーを示す図。
【図８】同実施形態の要部を示す断面図。
【図９】同実施形態の動作説明図。
【符号の説明】
１…テープカッター
２…ホルダ
３…第１ホルダ要素
４…第２ホルダ要素
５…カバー
６…巻テープ
１１…保形部
１２…移動規制部
２１…支持部
２２…カット部
２３…案内路
２４…保護壁
３４、３５、４４、４５…脚部
５１…側板
５２…カバー本体
５３…指掛け部
３１２、４１２…凹部
５１２ａ、５２１ａ…滑り止め用突起
５１３…突部
Ｐ…開放位置
Ｑ…隠蔽位置
【図１】
2004345767.tif 000003
【図２】
2004345767.tif 000004
【図３】
2004345767.tif 000005
【図４】
2004345767.tif 000006
【図５】
2004345767.tif 000007
【図６】
2004345767.tif 000008
【図７】
2004345767.tif 000009
【図８】
2004345767.tif 000010
【図９】
2004345767.tif 000011